(57)【要約】【課題】リフトアップ装置を操作することのできるシート装置を提供することを目的とする。【解決手段】シートクッション及びシートバックから成るシート本体２１と、シート本体２１を支持するシートホルダ２２と、シートホルダ２２の前後位置に設けられる車輪２３を備えるシート装置２０と、車両フロアに固定されるフロア固定部３１と、フロア固定部３１を摺動するスライド機構３２と、スライド機構３２に対し回転可能な回転機構３３と、回転機構３３に組みつけられる昇降機構３４と、シート装置２０を支持し昇降機構３４により移動を行うシート支持機構３５を備えるリフトアップ装置３０であって、シートホルダ２２に裏側コネクタ２２ａ、シート支持機構３５に表側コネクタ３６を接続可能な位置に設けることを特徴とする。【選択図】図４
2012046160.tif 000002
【特許請求の範囲】
【請求項１】
車室外では車椅子として使用可能であり車室内では座席として使用可能なシート装置と、
車両側に備えられ該シート装置と連結及び切り離し可能なリフトアップ装置であって、
前記シート装置は、乗員が着座するシートクッション及び乗員の背もたれとなるシートバックから成るシート本体と、
該シート本体を支持するとともに前記リフトアップ装置と連結を行うシートホルダと、
該シートホルダの前後に設けられる車輪を備え、
前記リフトアップ装置は、車室内で前記シート装置を前後移動するスライド機構と、
前記スライド機構に対し回動動作を行う回転機構と、
該回転機構に組みつけられ前記シート装置車室内外への移動を行う昇降機構と、
該昇降機構により移動を行い前記シート装置と連結可能なシート支持機構を備え、
前記シートホルダの前記シート本体を支持する裏側に裏側コネクタと、
前記シート支持機構の上面に表側コネクタを設けることを特徴とするシート装置及びリフトアップ装置。
【請求項２】
前記シートホルダの車輪を備える面に裏側コネクタと、
前記シート支持機構の側面に表側コネクタを設けることを特徴とする請求項1記載のシート装置及びリフトアップ装置。
【発明の詳細な説明】
【技術分野】
【０００１】
本発明は、車室外では車椅子として使用可能であり、車室内では乗員が着座する座席として使用可能なシート装置と、車室内に備えられシート装置を車室内外へ移動させるリフトアップ装置に関する。
【背景技術】
【０００２】
従来、老人や身体障害者等の乗員が着座する電動車いすを車両室内外に移動する装置として、例えば、特許文献１に記載する「車両用シート装置」と、特許文献２に記載する「車椅子昇降装置」が提案されている。
【０００３】
特許文献１記載の車両用シート装置では、シートを車室の前後にスライドさせるスライド機構と、シートを車両の正面向き位置とドア開口部位置との間で水平方向に回転させる回転機構と、スライド機構及び回転機構を駆動する駆動手段と、この駆動手段を制御するコントローラと、シートの前後位置を検出するセンサを備え、特許文献２に記載する車椅子昇降装置では、車椅子を載置可能なプラットホームと、車体とプラットホームの側部とを接続するとともに、プラットホームを車椅子が昇降可能な車外の昇降位置と車内の格納位置との間で変位させるリフト機構を備えた構成をしている。
【０００４】
ここで、特許文献１及び特許文献２に記載の装置は、何れも、リフトアップ装置を可動するリモートコントローラー（以下、リモコン）を車体側に備えており、車椅子（シート装置）に着座する乗員の介護者が、リモコンを操作することでシート装置を車室内外へ移動している。
【先行技術文献】
【特許文献】
【０００５】
【特許文献１】特開２００５−３０４７０３号
【０００６】
【特許文献２】特開２００７−１５３１６６号
【発明の概要】
【発明が解決しようとする課題】
【０００７】
しかし、上記に示す装置の構造では、シート装置とリフトアップ装置を連結する際には、シート装置に着座する乗員がリフトアップ装置の連結位置までシート装置を移動させ、介護者がリフトアップ装置の操作を行う必要があったため、シート装置に着座する乗員が一人でシート装置を車室内に移動させることは非常に困難であった。また、車室内でシート装置を前後方向に移動したり、車両の進行方向を向くシート装置をドア開口部方向へ回動するといった動作は、乗員によるマニュアル操作だったり、リフトアップ装置を可動するリモコンを操作しなければならなかった。
【０００８】
本発明は、上記の課題を解決するためになされたものであって、リフトアップ装置を操作することのできるシート装置及びリフトアップ装置を提供することを目的とする。
【課題を解決するための手段】
【０００９】
上記に示す課題を解決するために本発明のシート装置及びリフトアップ装置は、シートクッション及びシートバックから成るシート本体と、シート本体を支持するシートホルダと、シートホルダの前後位置に設けられる車輪を備えるシート装置と、車両フロアに固定されるフロア固定部と、フロア固定部を摺動するスライド機構と、スライド機構に対し回転可能な回転機構と、回転機構に組みつけられる昇降機構と、シート装置を支持し昇降機構により移動を行うシート支持機構を備えるリフトアップ装置であって、シートホルダに裏側コネクタと、シート支持機構に表側コネクタを接続可能な位置に設けることを技術的特徴とする。
【発明の効果】
【００１０】
請求項１記載のシート装置及びリフトアップ装置によれば、乗員が着座するシート装置においてリフトアップ装置の動作を操作することが可能となる。
【００１１】
請求項２記載のシート装置及びリフトアップ装置によれば、シートホルダにシート支持機構が挿入されると同時に表側コネクタ及び裏側コネクタを接続することが可能となり、シート装置が昇降動作する時にコネクタを接続する時間を短縮することができる。
【図面の簡単な説明】
【００１２】
【図１】シート装置及びリフトアップ装置を示す図である。
【図２】シート装置を示す図である。
【図３】リフトアップ装置の分解斜視図を示す図である。
【図４】リフトアップ装置のシート支持機構を示す図である。
【図５】シート装置及びリフトアップシートの動作を示す図である。
【発明を実施するための最良の形態】
【００１３】
以下に、本発明の実施形態について図面を用いて説明する。
本発明は、車室外では車椅子として使用可能であり車室内では座席として使用可能なシート装置２０と、車両側に備えられシート装置２０と連結及び切り離し可能なリフトアップ装置３０である。
【００１４】
先ず、シート装置２０について説明する。
シート装置２０は、後述するリフトアップ装置３０のシート支持機構と連結及び切り離し可能に構成されており、図１に示すように、乗員が着座するシートクッション及び乗員の背もたれとなるシートバックから成るシート本体２１と、シート本体２１を支持するシートホルダ２２と、シートホルダ２２の前後位置に車輪２３と、車輪２３を操作する操作部２４（図示しない）と、リフトアップ装置３０と連結時にリフトアップ装置３０に有する各機構の制御を行うスイッチ２５（図示しない）を備える。
【００１５】
シートホルダ２２は、シート本体２１を支持するとともに後述するリフトアップ装置３０のシート支持機構と連結及び切り離しを可能にするものであって、シート装置２０の背面部付近に後進するシート装置２０を連結位置で停止させるリミットスイッチ２２ａと、シート本体２１を支持する裏側若しくは車輪を有する面にリフトアップ機構３０のシート支持機構３５に有する表側コネクタ３６と接続する裏側コネクタ２２ｂを備える。
【００１６】
裏側コネクタ２２ｂは、シート支持機構がシート装置２０を車室内の格納方向へ移動する若しくはリフトアップ装置３０のシート支持機構がシートホルダ２２に挿入される際に表側コネクタ３６と接続される。ここで、裏側コネクタ２２ｂと表側コネクタ３６が接続されることによりシート装置２０とリフトアップ装置３０との間で電力の供給及び信号の送電が可能となる。
【００１７】
スイッチ２５は、裏側コネクタ２２ｂと表側コネクタ３６が接続された状態において、後述するリフトアップ装置３０の各機構を制御することのできる操作装置であって、シート装置２０を車両の進行方向に対して前後方向へ移動したり、シート装置２０を車室内外方向へ移動させつつ昇降移動させることが可能である。
【００１８】
次に、リフトアップ装置３０について説明する。
リフトアップ装置３０は、乗用車の運転席や後部座席に適用することが可能で、シート装置のスイッチ２５を操作することにより可動する装置であって、図２に示すように、車体フロアに固定されるフロア固定部３１と、フロア固定部３１に摺動可能に積み重なるように設けられるスライド機構３２と、スライド機構３２に有する回転盤３２ａが駆動することにより車両正面向き位置とドア開口部向き位置との間でシート装置２０を回転する回転機構３３と、この回転機構３３により回転したシート装置２０を車室内外へ移動させつつ昇降移動させる昇降機構３４と、シート装置２０と連結及び切り離し可能であり昇降機構３４により移動を行うシート支持機構３５を備える。
【００１９】
フロア固定部３１は、シート装置２０及びリフトアップ装置３０を車両フロアに固定するものであって、左右一対のレール部材３１ａを車両フロアの表面にドアと略平行に敷設する。このレール３１ａは、凹形状の断面をしており両端にはリフトアップ装置３０を車両フロアに固定するための取付け脚３１ｂを備える。
【００２０】
スライド機構３２は、シート装置２０を車両の進行方向に対して前後方向に移動する機構であって、フロア固定部３１に積み重なるようにスライド基板３２ａを設ける。このスライド基板３２ａは、フロア固定部３１のレール３１ａを摺動することが可能で、表面には後述する回転機構３３を回転可能に組付ける回転盤３２ｂと、裏面（フロア固定部側）に回転盤３２ｂを駆動する回転モータ３２ｃ（図示しない）を設ける。
【００２１】
回転機構３３は、シート装置２０を車両正面向き位置からドア開口部向き位置との間で回転する機構であって、スライド機構３２の回転盤３２ｂと同軸に回転基板３３ａを設ける。この回転基板３３ａは、後述する昇降機構３４を動作する昇降モータ３３ｂと、昇降機構３４が動作する際に後述するシート支持機構３５を支持するガイドローラ３３ｃを備えている。
【００２２】
昇降機構３４は、シート装置２０を車室内から車室外へあるいは車室外から車室内へ移動する機構であって、後述するシート支持機構３５を支持する基部３４ａとリンクアーム３５ｂによって４節リンク機構３５ｃが構成されている。この４節リンク機構３５ｃは、回転機構３３に有する昇降モータ３３ｂを駆動することで、基部３５ａを車室内外方向へ移動させつつシート装置２０の下降位置まで昇降移動することで、シート装置２０を車室内外方向への移動と車両フロアの着座位置からシート装置２０の下降位置との間で移動する。
【００２３】
シート支持機構３５は、シート装置２０と連結及び切り離し可能に構成されており、シート装置２０を支持するシート支持プレート３５ａと、このシート支持プレート３５ａをシート装置２０の下降位置において更に車両室外方向へ移動させるねじ軸３５ｂを備える。
【００２４】
シート支持プレート３５ａは、シート装置２０と連結時の接触する面に表側コネクタ３６を設け、裏側コネクタ２２ｂと接続可能な構成をしている。本実施例では、シート支持プレート３５ａの上面に表側コネクタ３６を設けるが、表側コネクタ３６は、シート支持プレート３５ａとシート装置２０が接触する面であれば設けることが可能であって、例えば、シート支持プレート３５ａの側面に設け、シート支持プレート３５ａがシート装置２０のシートホルダ２２に挿入された際に、表側コネクタ３６と裏側コネクタ２２ａが接続する構造としてもよい。
【００２５】
次に、車室内にあるシート装置２０を車室外に移動する手順を説明する。ここで、シート装置２０は車室内にあるということは、リフトアップ装置３０のシート支持機構３５と連結された状態であって、シート装置２０に有するシートホルダ２２の裏側コネクタ２２ａとリフトアップ装置３０に有するシート支持プレート３５ａに有する表側コネクタ３６は接続された状態である。
【００２６】
シート装置２０に着座する乗員は、シート装置２０を車両室外に移動するためスイッチ２４を操作する。すると、リフトアップ装置２０に有するスライド機構３２のスライド基板３２ａを回転可能な位置まで移動させた後、回転モータ３２ｃを駆動して回転盤３２ｂを動作することで、回転機構３３の回転基板３３ａが回転しシート装置２０をドア開口部向き位置へ回転する。ドア開口部向き位置にあるシート装置２０は、回転機構３３に有する昇降モータ３３ｂを駆動して昇降機構３４の４節リンク機構３５ｃを動作することで、シート装置２０を車室外方向へ移動させるとともに車両フロア着座位置とシート装置２０の下降位置との間で下降する。ここで、昇降機構３４により移動するシート装置２０は、一定の高さまで下降した後、車輪２３の展開を開始する。
【００２７】
シート装置２０の車輪２３が地面に接地するとリフトアップ装置３０は、シート支持プレート３５ａをシート装置２０の下降位置よりも更に下降することで、シート装置２０の裏側コネクタ２２ａとリフトアップ装置３０の表側コネクタ３６を切り離す作業を行う。
【００２８】
シート装置２０の裏側コネクタ２２ａとリフトアップ装置３０の表側コネクタ３６が切り離されたのを確認した乗員は、スイッチ２５の操作を終了して車輪２３の制御を行う操作部２４を操縦することでシート装置２０を車椅子として走行する。
【００２９】
次に、車椅子として使用されているシート装置２０を車両室内に格納する手順を説明する。ここで、リフトアップ装置３０のシート支持機構３５は、昇降機構３４によりシート装置２０の下降位置に下降してある状態とする。
【００３０】
シート装置２０に着座する乗員は、リフトアップ装置３０のシート支持機構３５にシート装置２０の後方（シート装置２０に着座する乗員の後方）から接近する。ここで、シート装置２０とリフトアップ装置３０が連結を行うためには、シート装置２０の後方がシート支持機構３５を向いた状態で連結するものとする。
【００３１】
連結動作を行うシート装置２０は、リフトアップ装置３０のシート支持機構３５に対して真っ直ぐ後進する。後進するシート装置２０は、連結位置まで到達するとリミットスイッチ２２ａが作動して停止する。ここで、シート支持機構３５のシート支持プレート３５ａは、シート装置２０が後進する際に、シート装置２０に有するシートホルダ２２に挿入され連結位置で停止する。
【００３２】
シート装置２０が連結位置で停止したのを確認したリフトアップ装置３０は、シート装置２０を車室内に格納するため回転機構３３の昇降モータ３３ｂを駆動することで昇降機構３４を可動し、シート装置２０を車室内方向へ移動させるとともに車両フロアの着座位置まで上昇する。ここで、シート支持機構３５は一定の高さまで上昇すると、表面に有する表側コネクタ３６とシート装置２０のシートホルダ２２に有する裏側コネクタ２２ａが接続され、シート装置２０の車輪２３が格納する。
【００３３】
シート装置２０に着座する乗員は、リフトアップ装置３０のシート支持機構３５に有する表側コネクタ３６とシート装置２０のシートホルダ２２に有する裏側コネクタ２２ａが接続されたのを確認すると、シート装置２０に備えるスイッチ２５を操作することで、リフトアップ装置３０の昇降機構３４を動作し車室内にシート装置２０を移動する。車室内に移動したシート装置２０は、スライド機構３２の回転モータ３２ｃを駆動して回転盤３２ａを回転させシート装置２０を車両の進行方向を向けた後、元の位置まで前後移動する。
【符号の説明】
【００３４】
２０  シート装置
２１  シート本体
２２  シートホルダ
２２ａ  裏側コネクタ
２３  車輪
３０  リフトアップ装置
３１  フロア固定部
３２  スライド機構
３３  回転機構
３４  昇降機構
３５  シート支持機構
３５ａ  シート支持プレート
３６  表側コネクタ
【図１】
2012046160.tif 000003
【図２】
2012046160.tif 000004
【図３】
2012046160.tif 000005
【図４】
2012046160.tif 000006
【図５】
2012046160.tif 000007